(57)【要約】      （修正有）【課題】人体の部位、ないし、その状態等に応じて刺激の強さを調節することができ、ＭＲＩ装置内で使用することが可能である集合鍼を提供する。【解決手段】柄部１の両端には支持孔３ａ、３ｂを柄部１の長さ方向にそれぞれ形成する。各支持孔３ａ、３ｂには外側端５ａ、５ｂに多数の鍼体７ａ、７ｂを突設した鍼体保持体９ａ、９ｂを支持孔３ａ、３ｂの長さ方向に進退自在に嵌着する。鍼体保持体９ａ、９ｂの内側端１１ａ、１１ｂと各支持孔３ａ、３ｂの内側端１３ａ、１３ｂとの間には鍼体保持体９ａ、９ｂを常時外方に押すばね手段１５ａ、１５ｂを配設する。鍼体保持体９ａ、９ｂの外側端５ａ、５ｂと該外側端に突設した鍼体７ａ、７ｂとは各支持孔３ａ、３ｂから常時外方に突出する。柄部１と鍼体保持体９ａ、９ｂと鍼体７ａ、７ｂとばね手段１５ａ、１５ｂとは合成樹脂により形成した。【選択図】図１
0003185305.tif 000002
【実用新案登録請求の範囲】
【請求項１】
柄部の両端には支持孔を該柄部の長さ方向にそれぞれ形成し、各支持孔には外側端に多数の鍼体を突設した鍼体保持体を該支持孔の長さ方向に進退自在に嵌着し、該鍼体保持体の内側端と各支持孔の内側端との間には該鍼体保持体を常時外方に押すばね手段を配設し、該鍼体保持体の外側端と該外側端に突設した鍼体とが各支持孔から常時外方に突出し、前記柄部と鍼体保持体と鍼体とばね手段とを合成樹脂により形成したことを特徴とする集合鍼。
【請求項２】
前記柄部の一端に形成された支持孔に嵌着された鍼体保持体の鍼体と、該柄部の他端に形成された支持孔に嵌着された鍼体保持体の鍼体とは、相互に先端部の太さが異なることを特徴とする請求項１に記載の集合鍼。
【請求項３】
前記柄部の外面には長さ方向の突条を形成したことを特徴とする請求項１又は２に記載の集合鍼。
【請求項４】
前記各支持孔内において前記鍼体保持体が進退する範囲を規制するための規制手段を備えさせたことを特徴とする請求項１〜３のいずれかに記載の集合鍼。
【請求項５】
前記各鍼体保持体の外側端における鍼体は、正面視略正多角形状に配設されていることを特徴とする請求項１〜４のいずれかに記載の集合鍼。
【考案の詳細な説明】
【技術分野】
【０００１】
本考案は、人体の鍼治療に用いられる集合鍼に関するものであり、特に柄部の両端に多数の鍼体を備えさせてなる集合鍼に係るものである。
【背景技術】
【０００２】
実開平４−５８２４７号公報は、電動バイブレータを備えた柄部の一端に多数の鍼体を備えさせてなる集合鍼を開示している。
【先行技術文献】
【特許文献】
【０００３】
【特許文献１】実開平４−５８２４７号公報
【考案の概要】
【考案が解決しようとする課題】
【０００４】
上記従来の集合鍼は、電動バイブレータにより多数の鍼体を振動させるようにしているため、人体に与える刺激の強さが常に一定であり、人体の部位、ないし、その状態等に応じて刺激の強さを調節することができないという問題がある。また、上記従来の集合鍼においては、多数の鍼体を人体の部位に垂直に当接させるための手段を備えていないため、鍼体を該部位の全面に均一に作用させることができないという問題もある。更に、上記従来の集合鍼における電動バイブレータは、ＭＲＩ（核磁気共鳴画像法）装置の磁気による影響を受け、ＭＲＩ装置の画像を乱し、或いは撮影に障害を生じさせるおそれがあるため、上記従来の集合鍼はＭＲＩ装置内で使用することができないという問題もある。
【０００５】
本考案は、人体の部位、ないし、その状態等に応じて刺激の強さを調節することができ、ＭＲＩ装置内で使用することが可能であり、更に、各部位に鍼体を垂直に当接させることにより、鍼体を該部位の全面に均一に作用させることができるようにした集合鍼を提供しようとしてなされたものである。
【課題を解決するための手段】
【０００６】
上記課題を解決するために、本考案は、下記の集合鍼を提供する。
【０００７】
（１）柄部の両端には支持孔を該柄部の長さ方向にそれぞれ形成し、各支持孔には外側端に多数の鍼体を突設した鍼体保持体を該支持孔の長さ方向に進退自在に嵌着し、該鍼体保持体の内側端と各支持孔の内側端との間には該鍼体保持体を常時外方に押すばね手段を配設し、該鍼体保持体の外側端と該外側端に突設した鍼体とが各支持孔から常時外方に突出し、前記柄部と鍼体保持体と鍼体とばね手段とを合成樹脂により形成したことを特徴とする集合鍼（請求項１）。
【０００８】
（２）前記柄部の一端に形成された支持孔に嵌着された鍼体保持体の鍼体と、該柄部の他端に形成された支持孔に嵌着された鍼体保持体の鍼体とは、相互に先端部の太さが異なる（請求項２）。
【０００９】
（３）前記柄部の外面には長さ方向の突条を形成する（請求項３）。
【００１０】
（４）前記各支持孔内において前記鍼体保持体が進退する範囲を規制するための規制手段を備えさせる（請求項４）。
【００１１】
（５）前記各鍼体保持体の外側端における鍼体は、正面視略正多角形状に配設されている（請求項５）。
【００１２】
本願において、「正面視略正多角形状に配設」とは、鍼体保持体の外側端面をその正面方向から見たときに、鍼体が該外側端面に形成された仮想上の略正多角形における各頂点に位置するように配設されていることをいうものとする。図５参照。
【考案の効果】
【００１３】
[請求項１の考案]
請求項１の考案は、柄部の両端に多数の鍼体を突設しているため、該柄部の一端の鍼体を他端の鍼体と異ならしめることができる。すなわち、人体の部位、ないし、その状態等に応じて、鍼体を選択することができる。
【００１４】
柄部の各支持孔には外側端に多数の鍼体を突設した鍼体保持体を該支持孔の長さ方向に進退自在に嵌着し、該鍼体保持体の内側端と各支持孔の内側端との間には該鍼体保持体を常時外方に押すばね手段を配設したため、柄部を指で把持して該柄部を皮膚方向に押す際には、指の力はばね手段を介して鍼体に伝えられる。すなわち、ばね手段はクッションの作用をなすため、鍼体が過度の力で皮膚を押圧することが防止されると共に、人体の部位、ないし、その状態等に応じて鍼体が皮膚に与える刺激の強さを容易に調節することができる。指で柄部を皮膚方向に押して鍼体を皮膚に押圧させたときには、ばね手段が圧縮され、鍼体を備えた鍼体保持体は支持孔内に入る方向に相対的に動くが、指で柄部を皮膚方向に押す力を解除したときには、鍼体保持体はばね手段の力により元の位置に復帰する。
【００１５】
各鍼体保持体の外側端と該外側端に突設した鍼体とが各支持孔から常時外方に突出しているため、柄部を指で把持して該柄部を皮膚方向に押したときでも、柄部の端部が皮膚に当接することがなく、鍼体は皮膚を確実に押圧する。
【００１６】
柄部と鍼体保持体と鍼体とばね手段とを合成樹脂により形成したため、集合鍼をＭＲＩ（核磁気共鳴画像法）装置内に入れたときでも、集合鍼は、金属製品等と異なり、ＭＲＩ装置の磁気による影響を受けることがなく、ＭＲＩ装置の画像を乱し、或いは撮影に障害を生じさせるおそれがない。したがって、例えば、集合鍼による刺激が脳内で生じさせる発火に関する研究を行う場合には、合成樹脂により形成された集合鍼はＭＲＩ装置内で支障なく使用することができる。
【００１７】
[請求項２の考案]
柄部の一端に形成された支持孔に嵌着された鍼体保持体の鍼体と、該柄部の他端に形成された支持孔に嵌着された鍼体保持体の鍼体とは、相互に先端部の太さが異なるため、該柄部の一端の鍼体が皮膚に与える刺激の強さと該柄部の他端の鍼体が皮膚に与える刺激の強さとが相互に異なる。したがって、人体の部位、ないし、その状態等に応じて、いずれかの鍼体を選択して使用することができる。
【００１８】
[請求項３の考案]
柄部の外面に長さ方向の突条を形成しているため、該突条に触れる指の感覚及び皮膚の表面と該突条との角度関係を目で見ることとにより、皮膚の部位に鍼体を垂直に当接させることができる。したがって、鍼体を該部位の全面に均一に作用させることができる。
【００１９】
[請求項４の考案]
各支持孔内において鍼体保持体が進退する範囲を規制するための規制手段を備えさせたため、該鍼体保持体が透孔から脱出すること及び該透孔内に没入することを防止することができる。
【００２０】
[請求項５の考案]
各鍼体保持体の外側端における鍼体は、正面視略正多角形状に配設されているため、鍼体を皮膚の部位に垂直に当接させたときには、全鍼体に均一な力が加わる。したがって、鍼体の折曲、折損等が防止される。
【図面の簡単な説明】
【００２１】
【図１】図１は、本考案による集合鍼の一例を示す断面図である。
【図２】図２は、同上集合鍼の側面図である。
【図３】図３は、同上集合鍼における規制手段を示す断面図である。
【図４】図４は、柄部の平面図である。
【図５】図５は、同上集合鍼の正面図である。
【図６】図６は、鍼体を示す側面図である。
【図７】図７は、同上集合鍼の使用状態を示す側面図である。
【考案を実施するための形態】
【００２２】
符号１に示すものは集合鍼の柄部である。柄部１の両端には支持孔３ａ、３ｂを該柄部１の長さ方向にそれぞれ形成する。
【００２３】
各支持孔３ａ、３ｂには外側端５ａ、５ｂに多数の鍼体７ａ、７ａ・・・、７ｂ、７ｂ・・・を突設した鍼体保持体９ａ、９ｂを該支持孔３のａ、３ｂ長さ方向に進退自在に嵌着する。
【００２４】
鍼体保持体９ａ、９ｂの内側端１１ａ、１１ｂと各支持孔３ａ、３ｂの内側端１３ａ、１３ｂとの間には該鍼体保持体９ａ、９ｂを常時外方に押すばね手段１５ａ、１５ｂを配設し、該鍼体保持体９ａ、９ｂの外側端５ａ、５ｂと該外側端５ａ、５ｂに突設した鍼体７ａ、７ａ・・・、７ｂ、７ｂ・・・とが各支持孔３ａ、３ｂから常時外方に突出しているようになす。ばね手段１５ａ、１５ｂとしては、好ましくは、コイルばねが用いられる。例えば、一方の鍼体保持体９ａの鍼体７ａ、７ａ・・・の先端部７ａ’、７ａ’・・・が皮膚の表面１６に接触した状態で指で柄部１を皮膚の表面１６に近づく方向に押したときには、当該一方の鍼体保持体９ａはばね手段１５ａの力に抗して一方の支持孔３ａの内方に相対的に沈むが、同時に、当該一方の鍼体保持体９ａにおける鍼体７ａ、７ａ・・・の先端部７ａ’、７ａ’・・・はばね手段１５ａを介して皮膚の表面１６を押圧する。すなわち、ばね手段１５ａはクッションの作用をなす。
【００２５】
前記柄部１と鍼体保持体９ａ、９ｂと鍼体７ａ、７ａ・・・、７ｂ、７ｂ・・・とばね手段１５ａ、１５ｂとを合成樹脂により形成する。この合成樹脂としては、例えば、ポリプロピレン、ポリエチレン、ポリアミド、スチロール、ＡＳ等が用いられる。
【００２６】
前記柄部１の一端に形成された支持孔３ａに嵌着された鍼体保持体９ａの鍼体７ａ、７ａ・・・と、該柄部１の他端に形成された支持孔３ｂに嵌着された鍼体保持体９ｂの鍼体７ｂ、７ｂ・・・とは、相互に先端部７ａ’、７ａ’・・・、７ｂ’、７ｂ’・・・（７ｂ’、７ｂ’・・・については図示せず。）の太さ(直径)が異なる。一例として、一方の鍼体７ａの先端部７ａ’の太さ（直径）は０．５ｍｍ、他方の鍼体７ｂの先端部７ｂ’の太さ（直径）は０．３ｍｍである。鍼体７ａ、７ｂは、先端部７ａ’、７ｂ’が細いほど、皮膚に強い刺激を与える。なお、図５に示す事例においては、一方の鍼体保持体９ａは１６本の鍼体７ａ、７ａ・・・を備えており、他方の鍼体保持体９ｂは１６本の鍼体７ｂ、７ｂ・・・を備えている。
【００２７】
前記柄部１の外面には長さ方向の突条を形成する。図示の事例においては、２本の突条１７ａ、１７ｂが柄部１の一端側と他端側とにそれぞれ１８０°の角度間隔を置いて該柄部１と一体的に形成されている。
【００２８】
前記各支持孔３ａ、３ｂ内において前記鍼体保持体９ａ、９ｂが進退する範囲を規制するための規制手段１９ａ、１９ｂを備えさせる。規制手段１９ａ、１９ｂは、一例として、柄部１の一端側と他端側とにそれぞれ長孔２１ａ、２１ｂを該柄部１の長さ方向に形成し、鍼体保持体９ａ、９ｂの外面には該長孔２１ａ、２１ｂに対応する突起２３ａ、２３ｂを形成し、該突起２３ａ、２３ｂをそれぞれ長孔２１ａ、２１ｂに該長孔２１ａ、２１ｂの長さ方向に移動自在に嵌めてなるものである。
【００２９】
各鍼体保持体９ａ、９ｂの外側端５ａ、５ｂにおける鍼体７ａ、７ａ・・・、７ｂ、７ｂ・・・は、正面視略正多角形状に配設されている。図５における正面視略正多角形ａは、正面視略正六角形であるが、正面視略正多角形ａは、必ずしも正面視略正六角形に限定されるものではなく、例えば、正面視略正三角形、正面視略正四角形等であっても差し支えない。
【符号の説明】
【００３０】
１  柄部
３ａ  支持孔
３ｂ  支持孔
５ａ  外側端
５ｂ  外側端
７ａ  鍼体
７ａ'  先端部
７ｂ  鍼体
７ｂ’先端部
９ａ  鍼体保持体
９ｂ  鍼体保持体
１１ａ  内側端
１１ｂ  内側端
１３ａ  内側端
１３ｂ  内側端
１５ａ  ばね手段
１５ｂ  ばね手段
１６  皮膚の表面
１７ａ  突条
１７ｂ  突条
１９ａ  規制手段
１９ｂ  規制手段
２１ａ  長孔
２１ｂ  長孔
２３ａ  突起
２３ｂ  突起
【図１】
0003185305.tif 000003
【図２】
0003185305.tif 000004
【図３】
0003185305.tif 000005
【図４】
0003185305.tif 000006
【図５】
0003185305.tif 000007
【図６】
0003185305.tif 000008
【図７】
0003185305.tif 000009